(57)【要約】【課題】情報記憶媒体を使用して、入室が管理された施設内に設置された管理対象装置の不正利用を防止することができる管理システムを提供する。【解決手段】入退室管理装置は、共通鍵を作成し、コピー機５０に送信する。また、入退室管理装置は、利用者が施設に入退場する際に、非接触ＩＣカード３から情報を読み取り、入場権限情報が含まれている場合、当該情報を共通鍵により暗号化することで暗号化情報を作成し、当該非接触ＩＣカード３に上書きする。入場権限を有する利用者は、部屋４に入室し、コピー機５０のＩＣカードリーダライタ９に非接触ＩＣカード３を読み取らせる。コピー機５０は、読み取った情報を、予め入退場管理装置から取得していた共通鍵に基づいて復号を試みる。そして、コピー機５０は、復号の結果に基づいて、当該コピー機の利用状況を制御することにより、不正利用を防止する。【選択図】図５
2008033437.tif 000002
【特許請求の範囲】
【請求項１】
施設内に設置された管理対象装置と通信可能に接続されており、利用者が所持する情報記憶媒体を使用して前記施設への入退場を管理する入退場管理装置であって、
前記情報記憶媒体は、各利用者を識別する識別情報を有しており、
前記入退場管理装置は、
所定の情報の暗号化及び復号を行う暗号復号鍵を作成する暗号復号鍵作成手段と、
前記暗号復号鍵作成手段が作成した暗号復号鍵を鍵情報として、前記管理対象装置へ送信する鍵情報送信手段と、
入場の際に、前記情報記憶媒体から情報を読み取る第１情報読取手段と、
前記第１情報読取手段が読み取った情報に含まれる識別情報に基づいて、前記利用者が前記施設への入場権限を有するか否かを判定する入場権限判定手段と、
前記入場権限判定手段により前記利用者が前記施設への入場権限を有すると判定された場合に、前記施設への入場を可能とする入場制御手段と、
前記第１情報読取手段が読み取った情報を、前記暗号復号鍵作成手段が作成した暗号復号鍵により暗号化する暗号化手段と、
前記情報記憶媒体から前記第１情報読取手段が読み取った情報を前記暗号化手段が暗号化することで作成した暗号化情報を、当該情報記憶媒体に書き込む第１書込手段と、を備えることを特徴とする入退場管理装置。
【請求項２】
前記暗号化手段は、前記第１情報読取手段が読み取った情報に含まれる識別情報を前記暗号復号鍵により暗号化するものであって、
前記暗号化情報は、前記暗号復号鍵により暗号化された前記識別情報であることを特徴とする請求項１に記載の入退場管理装置。
【請求項３】
施設内に設置された管理対象装置と通信可能に接続されており、利用者が所持する情報記憶媒体を使用して前記施設への入退場を管理する入退場管理装置であって、
前記情報記憶媒体は、各利用者を識別する識別情報を有しており、
前記入退場管理装置は、
前記管理対象装置の利用を許可する利用者を示す識別情報である利用権限識別情報を記憶する利用権限識別情報記憶手段と、
所定の情報の暗号化及び復号を行う暗号復号鍵を作成する暗号復号鍵作成手段と、
前記暗号復号鍵作成手段が作成した暗号復号鍵を鍵情報として、前記管理対象装置へ送信する鍵情報送信手段と、
入場の際に、前記情報記憶媒体から情報を読み取る第１情報読取手段と、
前記第１情報読取手段が読み取った情報に含まれる識別情報に基づいて、前記利用者が前記施設への入場権限を有するか否かを判定する入場権限判定手段と、
前記入場権限判定手段により前記利用者が前記施設への入場権限を有すると判定された場合に、前記施設への入場を可能とする入場制御手段と、
前記第１情報読取手段が読み取った情報に含まれる識別情報と、前記利用権限識別情報とを照合し、一致するか否かを判定する利用権限判定手段と、
前記利用権限判定手段により一致すると判定された場合に、前記第１情報読取手段が読み取った情報と、前記管理対象装置の利用を許可する利用権限情報とを有する情報を、前記暗号復号鍵作成手段が作成した暗号復号鍵により暗号化する暗号化手段と、
前記情報記憶媒体から前記第１情報読取手段が読み取った情報を前記暗号化手段が暗号化することで作成した暗号化情報を、当該情報記憶媒体に書き込む第１書込手段と、を備えることを特徴とする入退場管理装置。
【請求項４】
前記暗号復号鍵作成手段は、予め設定された任意のタイミングで前記暗号復号鍵を作成して更新しており、
前記鍵情報送信手段は、前記暗号復号鍵作成手段が新たな暗号復号鍵を作成する度に、当該新たな暗号復号鍵を前記管理対象装置へ送信することを特徴とする請求項１乃至３のいずれか一項に記載の入退場管理装置。
【請求項５】
退場の際に、前記情報記憶媒体から前記暗号化情報を読み取る第２情報読取手段と、
前記第２情報読取手段が読み取った暗号化情報を、前記暗号復号鍵作成手段が作成した暗号復号鍵により復号する復号手段と、
前記情報記憶媒体から前記暗号化情報を削除し、当該情報記憶媒体に前記復号手段が復号することで作成した復号情報を書き込む第２書込手段と、をさらに備えることを特徴とする請求項１乃至４のいずれか一項に記載の入退場管理装置。
【請求項６】
施設内に設置された管理対象装置と通信可能に接続されており、利用者が所持する情報記憶媒体を使用して前記施設への入退場を管理する入退場管理装置であって、
前記情報記憶媒体は、各利用者を識別する識別情報を有しており、
前記入退場管理装置は、
入場の際に、前記情報記憶媒体から情報を読み取る第１情報読取手段と、
前記第１情報読取手段が読み取った情報に含まれる前記識別情報を特定する識別情報特定手段と、
前記識別情報特定手段が特定した識別情報に基づいて、前記利用者が前記施設への入場権限を有するか否かを判定する入場権限判定手段と、
前記入場権限判定手段により前記利用者が前記施設への入場権限を有すると判定された場合に、前記施設への入場を可能とする入場制御手段と、
前記入場権限判定手段により前記利用者が前記施設への入場権限を有すると判定された場合に、所定の情報の暗号化及び復号を行う暗号復号鍵を作成する暗号復号鍵作成手段と、
前記第１情報読取手段が読み取った情報から、前記識別情報特定手段が特定した識別情報を除いた情報を、前記暗号復号鍵作成手段が作成した暗号復号鍵により暗号化する暗号化手段と、
前記情報記憶媒体から前記第１情報読取手段が読み取った情報から前記識別情報を除いた情報を削除し、当該情報記憶媒体に前記暗号化手段が暗号化することで作成した暗号化情報を書き込む第１書込手段と、
前記識別情報特定手段が特定した識別情報と、前記暗号復号鍵作成手段が作成した暗号復号鍵とが対応付けされた鍵情報を前記管理対象装置へ送信する鍵情報送信手段と、を備えることを特徴とする入退場管理装置。
【請求項７】
施設への入退場を管理する入退場管理装置と通信可能に接続されており、前記施設内に設置され、利用者が所持する情報記憶媒体を使用して管理される管理対象装置であって、
前記管理対象装置は、
前記管理対象装置の利用を許可する利用者を示す識別情報である利用権限識別情報を記憶する利用権限識別情報記憶手段と、
前記入退場管理装置から、暗号化された情報を復号する暗号復号鍵を鍵情報として取得する鍵情報取得手段と、
前記情報記憶媒体から、前記入退場管理装置によって暗号化された暗号化情報を読み取る暗号化情報読取手段と、
前記暗号化情報読取手段が読み取った暗号化情報を、前記鍵情報取得手段が取得した鍵情報に含まれる暗号復号鍵により復号する復号手段と、
前記復号手段が復号した復号情報に基づいて、前記識別情報を特定する識別情報特定手段と、
識別情報特定手段が特定した識別情報と、前記利用権限識別情報とを照合し、一致するか否かを判定する利用権限判定手段と、
前記利用権限判定手段により一致すると判定された場合に、前記管理対象装置が利用可能となるように制御する制御手段と、を備えることを特徴とする管理対象装置。
【請求項８】
施設への入退場を管理する入退場管理装置と通信可能に接続されており、前記施設内に設置され、利用者が所持する情報記憶媒体を使用して管理される管理対象装置であって、
前記管理対象装置は、
前記入退場管理装置から、暗号化された情報を復号する暗号復号鍵を鍵情報として取得する鍵情報取得手段と、
前記情報記憶媒体から、前記入退場管理装置によって暗号化された暗号化情報を読み取る暗号化情報読取手段と、
前記暗号化情報読取手段が読み取った暗号化情報を、前記鍵情報取得手段が取得した鍵情報に含まれる暗号復号鍵により復号する復号手段と、
前記復号手段が復号した復号情報に、前記管理対象装置の利用を許可する利用権限情報が含まれているか否かを判定する判定手段と、
前記判定手段が含まれていると判定した場合に、前記管理対象装置が利用可能となるように制御する制御手段と、を備えることを特徴とする管理対象装置。
【請求項９】
前記鍵情報取得手段は、予め設定された任意のタイミングで、前記入退場管理装置から鍵情報を取得して更新し、
前記復号手段は、前記暗号化情報を、前記鍵情報取得手段が取得した最新の鍵情報に含まれる暗号復号鍵により復号することを特徴とする請求項７又は８に記載の管理対象装置。
【請求項１０】
施設内への入退場を管理する入退場管理装置と通信可能に接続されており、前記施設内に設置され、利用者が所持する情報記憶媒体を使用して管理される管理対象装置であって、
前記情報記憶媒体は、前記入退場管理装置に暗号化された暗号化情報と、前記利用者を識別する識別情報とを有しており、
前記管理対象装置は、
前記入退場管理装置から、前記識別情報と、暗号化された情報を復号する暗号復号鍵とが対応付けされた鍵情報を取得する鍵情報取得手段と、
前記鍵情報取得手段が取得した鍵情報を記憶する鍵情報記憶手段と、
前記情報記憶媒体から情報を読み取る第１情報読取手段と、
前記第１情報読取手段が読み取った情報に含まれる識別情報を特定する識別情報特定手段と、
前記鍵情報記憶手段から、前記識別情報特定手段が特定した識別情報に対応する暗号復号鍵を抽出する暗号復号鍵抽出手段と、
前記第１情報読取手段が読み取った情報に含まれる暗号化情報を、前記暗号復号鍵抽出手段が抽出した暗号復号鍵により復号する復号手段と、
前記復号手段が復号した復号情報に、前記管理対象装置の利用を許可する利用権限情報が含まれているか否かを判定する利用権限判定手段と、
前記利用権限判定手段により前記利用権限情報が含まれていると判定された場合に、前記管理対象装置が利用可能となるように制御する制御手段と、を備えることを特徴とする管理対象装置。
【請求項１１】
利用者が所持する情報記憶媒体を使用して、施設内に設置された管理対象装置の利用を管理する管理システムであって、
前記管理システムは、前記管理対象装置と、前記利用者による前記施設への入退場を管理する入退場管理装置とが通信可能に接続され、
前記情報記憶媒体は、各利用者を識別する識別情報を有しており、
前記入退場管理装置は、
所定の情報の暗号化及び復号を行う暗号復号鍵を作成する暗号復号鍵作成手段と、
前記暗号復号鍵作成手段が作成した暗号復号鍵を鍵情報として、前記管理対象装置へ送信する鍵情報送信手段と、
入場の際に、前記情報記憶媒体から情報を読み取る第１情報読取手段と、
前記第１情報読取手段が読み取った情報に含まれる識別情報に基づいて、前記利用者が前記施設への入場権限を有するか否かを判定する入場権限判定手段と、
前記入場権限判定手段により前記利用者が前記施設への入場権限を有すると判定された場合に、前記施設への入場を可能とする入場制御手段と、
前記第１情報読取手段が読み取った情報を、前記暗号復号鍵作成手段が作成した暗号復号鍵により暗号化する暗号化手段と、
前記情報記憶媒体から前記第１情報読取手段が読み取った情報を前記暗号化手段が暗号化することで作成した暗号化情報を、当該情報記憶媒体に書き込む第１書込手段と、を備え、
前記管理対象装置は、
前記管理対象装置の利用を許可する利用者を示す識別情報である利用権限識別情報を記憶する利用権限識別情報記憶手段と、
前記入退場管理装置から、前記暗号復号鍵を鍵情報として取得する鍵情報取得手段と、
前記情報記憶媒体から、前記暗号化情報を読み取る暗号化情報読取手段と、
前記暗号化情報読取手段が読み取った暗号化情報を、前記鍵情報取得手段が取得した鍵情報に含まれる暗号復号鍵により復号する復号手段と、
前記復号手段が復号した復号情報に基づいて、前記識別情報を特定する識別情報特定手段と、
識別情報特定手段が特定した識別情報と、前記利用権限識別情報とを照合し、一致するか否かを判定する利用権限判定手段と、
前記利用権限判定手段により一致すると判定された場合に、前記管理対象装置が利用可能となるように制御する制御手段と、を備えることを特徴とする管理システム。
【請求項１２】
利用者が所持する情報記憶媒体を使用して、施設内に設置された管理対象装置の利用を管理する管理システムであって、
前記管理システムは、前記管理対象装置と、前記利用者による前記施設への入退場を管理する入退場管理装置とが通信可能に接続され、
前記情報記憶媒体は、各利用者を識別する識別情報を有しており、
前記入退場管理装置は、
前記管理対象装置の利用を許可する利用者を示す識別情報である利用権限識別情報を記憶する利用権限識別情報記憶手段と、
所定の情報の暗号化及び復号を行う暗号復号鍵を作成する暗号復号鍵作成手段と、
前記暗号復号鍵作成手段が作成した暗号復号鍵を鍵情報として、前記管理対象装置へ送信する鍵情報送信手段と、
入場の際に、前記情報記憶媒体から情報を読み取る第１情報読取手段と、
前記第１情報読取手段が読み取った情報に含まれる識別情報に基づいて、前記利用者が前記施設への入場権限を有するか否かを判定する入場権限判定手段と、
前記入場権限判定手段により前記利用者が前記施設への入場権限を有すると判定された場合に、前記施設への入場を可能とする入場制御手段と、
前記第１情報読取手段が読み取った情報に含まれる識別情報と、前記利用権限識別情報とを照合し、一致するか否かを判定する利用権限判定手段と、
前記利用権限判定手段により一致すると判定された場合に、前記第１情報読取手段が読み取った情報と、前記管理対象装置の利用を許可する利用権限情報とを有する情報を、前記暗号復号鍵作成手段が作成した暗号復号鍵により暗号化する暗号化手段と、
前記情報記憶媒体から前記第１情報読取手段が読み取った情報を前記暗号化手段が暗号化することで作成した暗号化情報を、当該情報記憶媒体に書き込む第１書込手段と、を備え、
前記管理対象装置は、
前記入退場管理装置から、前記暗号復号鍵を鍵情報として取得する鍵情報取得手段と、
前記情報記憶媒体から、前記暗号化情報を読み取る暗号化情報読取手段と、
前記暗号化情報読取手段が読み取った暗号化情報を、前記鍵情報取得手段が取得した鍵情報に含まれる暗号復号鍵により復号する復号手段と、
前記復号手段が復号した復号情報に、前記管理対象装置の利用を許可する利用権限情報が含まれているか否かを判定する判定手段と、
前記判定手段が含まれていると判定した場合に、前記管理対象装置が利用可能となるように制御する制御手段と、を備えることを特徴とする管理システム。
【請求項１３】
利用者が所持する情報記憶媒体を使用して、施設内に設置された管理対象装置の利用を管理する管理システムであって、
前記管理システムは、前記管理対象装置と、前記利用者による前記施設への入退場を管理する入退場管理装置とが通信可能に接続され、
前記情報記憶媒体は各利用者を識別する識別情報と、前記管理対象装置の利用を許可する利用権限情報とを有しており、
前記入退場管理装置は、
入場の際に、前記情報記憶媒体から情報を読み取る第１情報読取手段と、
前記第１情報読取手段が読み取った情報に含まれる前記識別情報を特定する識別情報特定手段と、
前記識別情報特定手段が特定した識別情報に基づいて、前記利用者が前記施設への入場権限を有するか否かを判定する入場権限判定手段と、
前記入場権限判定手段により前記利用者が前記施設への入場権限を有すると判定された場合に、前記施設への入場を可能とする入場制御手段と、
前記入場権限判定手段により前記利用者が前記施設への入場権限を有すると判定された場合に、所定の情報の暗号化及び復号を行う暗号復号鍵を作成する暗号復号鍵作成手段と、
前記第１情報読取手段が読み取った情報から、前記識別情報特定手段が特定した識別情報を除いた情報を、前記暗号復号鍵作成手段が作成した暗号復号鍵により暗号化する暗号化手段と、
前記情報記憶媒体から前記第１情報読取手段が読み取った情報から前記識別情報を除いた情報を削除し、前記暗号化手段が暗号化することで作成した暗号化情報を当該情報記憶媒体に書き込む第１書込手段と、
前記識別情報特定手段が特定した識別情報と、前記暗号復号鍵作成手段が作成した暗号復号鍵とが対応付けされた鍵情報を前記管理対象装置へ送信する鍵情報送信手段と、を備え、
前記管理対象装置は、
前記入退場管理装置から、前記識別情報及び前記暗号復号鍵が対応付けされた鍵情報を取得する鍵情報取得手段と、
前記鍵情報取得手段が取得した鍵情報を記憶する鍵情報記憶手段と、
前記情報記憶媒体から情報を読み取る第２情報読取手段と、
前記第２情報読取手段が読み取った情報に含まれる識別情報を特定する識別情報特定手段と、
前記鍵情報記憶手段から、前記識別情報特定手段が特定した識別情報に対応する暗号復号鍵を抽出する暗号復号鍵抽出手段と、
前記第２情報読取手段が読み取った情報に含まれる暗号化情報を、前記暗号復号鍵抽出手段が抽出した暗号復号鍵により復号する復号手段と、
前記復号手段が復号した復号情報に、前記管理対象装置の利用を許可する利用権限情報が含まれているか否かを判定する利用権限判定手段と、
前記利用権限判定手段により前記利用権限情報が含まれていると判定された場合に、前記管理対象装置が利用可能となるように制御する制御手段と、を備えることを特徴とする管理システム。
【請求項１４】
施設内に設置された管理対象装置と通信可能に接続されており、利用者が所持する情報記憶媒体を使用して前記施設への入退場を管理するコンピュータにより実行されるプログラムであって、
前記情報記憶媒体は、各利用者を識別する識別情報を有しており、
前記プログラムは、
所定の情報の暗号化及び復号を行う暗号復号鍵を作成する暗号復号鍵作成手段、
前記暗号復号鍵作成手段が作成した暗号復号鍵を鍵情報として、前記管理対象装置へ送信する鍵情報送信手段、
入場の際に、前記情報記憶媒体から情報を読み取る第１情報読取手段、
前記第１情報読取手段が読み取った情報に含まれる識別情報に基づいて、前記利用者が前記施設への入場権限を有するか否かを判定する入場権限判定手段、
前記入場権限判定手段により前記利用者が前記施設への入場権限を有すると判定された場合に、前記施設への入場を可能とする入場制御手段、
前記第１情報読取手段が読み取った情報を、前記暗号復号鍵作成手段が作成した暗号復号鍵により暗号化する暗号化手段、
前記情報記憶媒体から前記第１情報読取手段が読み取った情報を前記暗号化手段が暗号化することで作成した暗号化情報を、当該情報記憶媒体に書き込む第１書込手段、として前記コンピュータを機能させることを特徴とするプログラム。
【請求項１５】
施設内に設置された管理対象装置と通信可能に接続されており、利用者が所持する情報記憶媒体を使用して前記施設への入退場を管理するコンピュータにより実行されるプログラムであって、
前記情報記憶媒体は、各利用者を識別する識別情報を有しており、
前記プログラムは、
前記管理対象装置の利用を許可する利用者を示す識別情報である利用権限識別情報を記憶する利用権限識別情報記憶手段、
所定の情報の暗号化及び復号を行う暗号復号鍵を作成する暗号復号鍵作成手段、
前記暗号復号鍵作成手段が作成した暗号復号鍵を鍵情報として、前記管理対象装置へ送信する鍵情報送信手段、
入場の際に、前記情報記憶媒体から情報を読み取る第１情報読取手段、
前記第１情報読取手段が読み取った情報に含まれる識別情報に基づいて、前記利用者が前記施設への入場権限を有するか否かを判定する入場権限判定手段、
前記入場権限判定手段により前記利用者が前記施設への入場権限を有すると判定された場合に、前記施設への入場を可能とする入場制御手段、
前記第１情報読取手段が読み取った情報に含まれる識別情報と、前記利用権限識別情報とを照合し、一致するか否かを判定する利用権限判定手段、
前記利用権限判定手段により一致すると判定された場合に、前記第１情報読取手段が読み取った情報と、前記管理対象装置の利用を許可する利用権限情報とを有する情報を、前記暗号復号鍵作成手段が作成した暗号復号鍵により暗号化する暗号化手段、
前記情報記憶媒体から前記第１情報読取手段が読み取った情報を前記暗号化手段が暗号化することで作成した暗号化情報を、当該情報記憶媒体に書き込む第１書込手段、として前記コンピュータを機能させることを特徴とするプログラム。
【請求項１６】
施設内に設置された管理対象装置と通信可能に接続されており、利用者が所持する情報記憶媒体を使用して前記施設への入退場を管理するコンピュータにより実行されるプログラムであって、
前記情報記憶媒体は、各利用者を識別する識別情報を有しており、
前記プログラムは、
入場の際に、前記情報記憶媒体から情報を読み取る第１情報読取手段、
前記第１情報読取手段が読み取った情報に含まれる前記識別情報を特定する識別情報特定手段、
前記識別情報特定手段が特定した識別情報に基づいて、前記利用者が前記施設への入場権限を有するか否かを判定する入場権限判定手段、
前記入場権限判定手段により前記利用者が前記施設への入場権限を有すると判定された場合に、前記施設への入場を可能とする入場制御手段、
前記入場権限判定手段により前記利用者が前記施設への入場権限を有すると判定された場合に、所定の情報の暗号化及び復号を行う暗号復号鍵を作成する暗号復号鍵作成手段、
前記第１情報読取手段が読み取った情報から、前記識別情報特定手段が特定した識別情報を除いた情報を、前記暗号復号鍵作成手段が作成した暗号復号鍵により暗号化する暗号化手段、
前記情報記憶媒体から前記第１情報読取手段が読み取った情報から前記識別情報を除いた情報を削除し、当該情報記憶媒体に前記暗号化手段が暗号化することで作成した暗号化情報を書き込む第１書込手段、
前記識別情報特定手段が特定した識別情報と、前記暗号復号鍵作成手段が作成した暗号復号鍵とが対応付けされた鍵情報を前記管理対象装置へ送信する鍵情報送信手段、として前記コンピュータを機能させることを特徴とするプログラム。
【請求項１７】
施設への入退場を管理する入退場管理装置と通信可能に接続されており、前記施設内に設置され、利用者が所持する情報記憶媒体を使用して管理されるコンピュータにより実行されるプログラムであって、
前記プログラムは、
前記コンピュータの利用を許可する利用者を示す識別情報である利用権限識別情報を記憶する利用権限識別情報記憶手段、
前記入退場管理装置から、暗号化された情報を復号する暗号復号鍵を鍵情報として取得する鍵情報取得手段、
前記情報記憶媒体から、前記入退場管理装置によって暗号化された暗号化情報を読み取る暗号化情報読取手段、
前記暗号化情報読取手段が読み取った暗号化情報を、前記鍵情報取得手段が取得した鍵情報に含まれる暗号復号鍵により復号する復号手段、
前記復号手段が復号した復号情報に基づいて、前記識別情報を特定する識別情報特定手段、
識別情報特定手段が特定した識別情報と、前記利用権限識別情報とを照合し、一致するか否かを判定する利用権限判定手段、
前記利用権限判定手段により一致すると判定された場合に、前記コンピュータが利用可能となるように制御する制御手段、として前記コンピュータを機能させることを特徴とするプログラム。
【請求項１８】
施設への入退場を管理する入退場管理装置と通信可能に接続されており、前記施設内に設置され、利用者が所持する情報記憶媒体を使用して管理されるコンピュータにより実行されるプログラムであって、
前記プログラムは、
前記入退場管理装置から、暗号化された情報を復号する暗号復号鍵を鍵情報として取得する鍵情報取得手段、
前記情報記憶媒体から、前記入退場管理装置によって暗号化された暗号化情報を読み取る暗号化情報読取手段、
前記暗号化情報読取手段が読み取った暗号化情報を、前記鍵情報取得手段が取得した鍵情報に含まれる暗号復号鍵により復号する復号手段、
前記復号手段が復号した復号情報に、前記コンピュータの利用を許可する利用権限情報が含まれているか否かを判定する判定手段、
前記判定手段が含まれていると判定した場合に、前記コンピュータが利用可能となるように制御する制御手段、として前記コンピュータを機能させることを特徴とするプログラム。
【請求項１９】
施設内への入退場を管理する入退場管理装置と通信可能に接続されており、前記施設内に設置され、利用者が所持する情報記憶媒体を使用して管理されるコンピュータにより実行されるプログラムであって、
前記情報記憶媒体は、前記入退場管理装置に暗号化された暗号化情報と、前記利用者を識別する識別情報とを有しており、
前記プログラムは、
前記入退場管理装置から、前記識別情報と、暗号化された情報を復号する暗号復号鍵とが対応付けされた鍵情報を取得する鍵情報取得手段、
前記鍵情報取得手段が取得した鍵情報を記憶する鍵情報記憶手段、
前記情報記憶媒体から情報を読み取る第１情報読取手段、
前記第１情報読取手段が読み取った情報に含まれる識別情報を特定する識別情報特定手段、
前記鍵情報記憶手段から、前記識別情報特定手段が特定した識別情報に対応する暗号復号鍵を抽出する暗号復号鍵抽出手段、
前記第１情報読取手段が読み取った情報に含まれる暗号化情報を、前記暗号復号鍵抽出手段が抽出した暗号復号鍵により復号する復号手段、
前記復号手段が復号した復号情報に、前記コンピュータの利用を許可する利用権限情報が含まれているか否かを判定する利用権限判定手段、
前記利用権限判定手段により前記利用権限情報が含まれていると判定された場合に、前記コンピュータが利用可能となるように制御する制御手段、として前記コンピュータを機能させることを特徴とするプログラム。
【発明の詳細な説明】
【技術分野】
【０００１】
本発明は、入室が管理された施設内に設置された電子機器や設備などの管理対象装置の不正利用を防止する管理システムに関する。
【背景技術】
【０００２】
従来、情報漏洩防止等の観点から、部屋の出入口に入退室を管理するゲートシステムを設置し、当該ゲートシステムを通過したことにより、部屋内の電子機器の利用、部屋内の端末を使用したネットワーク接続、部屋内の端末を使用した特定のファイルへのアクセス等を可能とするシステムが知られている（例えば、特許文献１及び特許文献２参照）
具体的にこれらの発明では、ゲートシステムを通過する際、可搬情報記憶媒体（例えば、非接触ＩＣカード等）を出入口付近に設置されたＩＣカードリーダライタにかざす。このとき、ＩＣカードリーダライタは、非接触ＩＣカードに何らかの情報を書き込む。そして、部屋内の電子機器や端末からネットワークで接続された先が、非接触ＩＣカードに書き込まれた情報を読み取ることにより所定の動作が可能となる。
【０００３】
しかし、このような従来のシステムでは、非接触ＩＣカードに書き込まれた情報が何らかの方法で読み取られ、別の非接触ＩＣカードに不正コピーされると、部屋内の電子機器や端末による所定の動作が可能となってしまう。つまり、不正にコピーされた非接触ＩＣカードであっても、コピーされた情報が正当な情報であれば、部屋内の電子機器や端末による所定の動作が可能となってしまう。よって、可搬情報記憶媒体を偽造することにより、容易に、不正な利用者が部屋内の電子機器や端末を使用して所定の権限が必要な動作を行うことができるという問題が生じていた。
【０００４】
【特許文献１】特開２００４−７０５４２号公報
【特許文献２】特開２００５−１００３５９号公報
【発明の開示】
【発明が解決しようとする課題】
【０００５】
本発明は、以上の点に鑑みてなされたものであり、情報記憶媒体を使用して、入室が管理された施設内に設置された電子機器や設備の不正利用を防止する管理システムを提供することを課題とする。
【課題を解決するための手段】
【０００６】
本発明の１つの観点では、施設内に設置された管理対象装置と通信可能に接続されており、利用者が所持する情報記憶媒体を使用して前記施設への入退場を管理する入退場管理装置であって、前記情報記憶媒体は、各利用者を識別する識別情報を有しており、前記入退場管理装置は、所定の情報の暗号化及び復号を行う暗号復号鍵を作成する暗号復号鍵作成手段と、前記暗号復号鍵作成手段が作成した暗号復号鍵を鍵情報として、前記管理対象装置へ送信する鍵情報送信手段と、入場の際に、前記情報記憶媒体から情報を読み取る第１情報読取手段と、前記第１情報読取手段が読み取った情報に含まれる識別情報に基づいて、前記利用者が前記施設への入場権限を有するか否かを判定する入場権限判定手段と、前記入場権限判定手段により前記利用者が前記施設への入場権限を有すると判定された場合に、前記施設への入場を可能とする入場制御手段と、前記第１情報読取手段が読み取った情報を、前記暗号復号鍵作成手段が作成した暗号復号鍵により暗号化する暗号化手段と、前記情報記憶媒体から前記第１情報読取手段が読み取った情報を前記暗号化手段が暗号化することで作成した暗号化情報を、当該情報記憶媒体に書き込む第１書込手段と、を備える。
【０００７】
上記のように構成された入退場管理装置は、利用者による施設内への入退場を管理する装置である。施設としては、例えばビルなどの建物、そのフロア、部屋などが挙げられる。また、施設内には管理対象装置が設置されており、管理対象装置としては、例えばコピー機、プリンタなどの電子機器、電子制御機能を有するタイムレコーダ、キャビネット、ロッカーなどの設備、及び、建物内部の部屋などが挙げられる。入退場管理装置は、利用者が所持する情報記憶媒体により、施設内への入退場を管理している。情報記憶媒体としては、例えばＩＣカードなど、情報の読み取りが可能な媒体が使用される。
【０００８】
具体的に、入退場管理装置は、施設の出入口近傍に設けられる。入退場管理装置は、所定の情報の暗号化及び復号を行う暗号復号鍵を作成する。暗号化とは、文書や画像などのデジタルデータをやり取りする際に、通信途中で第三者に盗み見られたり改ざんされたりしないよう、決まった規則に従ってデータを変換することである。一方、復号とは、暗号化されたデータを暗号化前の状態に戻す変換をすることである。暗号化及び復号に鍵を使用する方式としては、公開鍵暗号方式や共通鍵暗号方式が挙げられるが、本発明は任意の方式を適用することができる。入退場管理装置は、作成した暗号復号鍵を、インターネットをはじめとするネットワークを介して管理対象装置に送信する。
【０００９】
また、入退場管理装置は、利用者が施設に入退場する際に、利用者が所持する情報記憶媒体から情報を読み取る。情報記憶媒体には、各利用者を識別する識別情報が記憶されている。入退場管理装置は、識別情報に基づいて利用者が入場権限を有するか否かを判定し、入場権限を有する場合、情報記憶媒体から読み取った情報を暗号復号鍵により暗号化することで暗号化情報を作成する。さらに、入退場管理装置は、作成した暗号化情報を当該情報記憶媒体に書き込む。また、入退場管理装置は、利用者が入場権限を有する場合、出入口のドアを開ける等によって、当該情報記憶媒体を所持する利用者の入場を許可する。一方、入退場管理装置は、入場権限情報が含まれていない場合、出入口のドアを開けず、入場を許可しない。
【００１０】
利用者は、管理対象装置を利用する場合、当該管理対象装置に情報記憶媒体を読み取らせる。管理対象装置は、情報記憶媒体から暗号化情報を読み取り、予め入退場管理装置から取得した暗号復号鍵に基づいて復号を試みる。復号が正常に行われない場合、管理対象装置は、利用権限の有無に関わらず、当該管理対象装置を利用不可能な状態に制御する。一方、復号が正常に行われた場合、復号した情報に基づいて、利用者の利用権限の有無を判定し、管理対象装置の利用状態を制御する。ここで、利用権限とは、管理対象装置の利用が許可されていることを示す権限である。このように、本発明によれば、暗号化情報に基づいて管理対象装置の利用状態を制御するため、スキミング等、何らかの方法で第三者が情報記憶媒体を不正コピーしたとしても、容易に解析することは難しい。
【００１１】
上記入退場管理装置の一態様では、前記暗号化手段は、前記第１情報読取手段が読み取った情報に含まれる識別情報を前記暗号復号鍵により暗号化するものであって、前記暗号化情報は、前記暗号復号鍵により暗号化された前記識別情報である。これによれば、入退場管理装置は、識別情報を暗号化して暗号化情報を作成し、情報記憶媒体に書き込む。よって、暗号化する情報量及び書込みする情報量を少なくすることができ、入退場管理装置の処理負荷を軽減することができる。
【００１２】
本発明の別の観点では、施設内に設置された管理対象装置と通信可能に接続されており、利用者が所持する情報記憶媒体を使用して前記施設への入退場を管理する入退場管理装置であって、前記情報記憶媒体は、各利用者を識別する識別情報を有しており、前記入退場管理装置は、前記管理対象装置の利用を許可する利用者を示す識別情報である利用権限識別情報を記憶する利用権限識別情報記憶手段と、所定の情報の暗号化及び復号を行う暗号復号鍵を作成する暗号復号鍵作成手段と、前記暗号復号鍵作成手段が作成した暗号復号鍵を鍵情報として、前記管理対象装置へ送信する鍵情報送信手段と、入場の際に、前記情報記憶媒体から情報を読み取る第１情報読取手段と、前記第１情報読取手段が読み取った情報に含まれる識別情報に基づいて、前記利用者が前記施設への入場権限を有するか否かを判定する入場権限判定手段と、前記入場権限判定手段により前記利用者が前記施設への入場権限を有すると判定された場合に、前記施設への入場を可能とする入場制御手段と、前記第１情報読取手段が読み取った情報に含まれる識別情報と、前記利用権限識別情報とを照合し、一致するか否かを判定する利用権限判定手段と、前記利用権限判定手段により一致すると判定された場合に、前記第１情報読取手段が読み取った情報と、前記管理対象装置の利用を許可する利用権限情報とを有する情報を、前記暗号復号鍵作成手段が作成した暗号復号鍵により暗号化する暗号化手段と、前記情報記憶媒体から前記第１情報読取手段が読み取った情報を前記暗号化手段が暗号化することで作成した暗号化情報を、当該情報記憶媒体に書き込む第１書込手段と、を備える。
【００１３】
上記のように構成された入退場管理装置は、所定の情報の暗号化及び復号を行う暗号復号鍵を作成し、インターネットをはじめとするネットワークを介して管理対象装置に送信する。また、入退場管理装置は、利用者が施設に入退場する際に、利用者が所持する情報記憶媒体から情報を読み取る。情報記憶媒体には、各利用者を識別する識別情報が記憶されている。入退場管理装置は、識別情報に基づいて利用者が施設への入場権限を有するか否かを判定し、入場権限を有する場合、情報記憶媒体に記憶された識別情報と、予め有する利用権限識別情報とを照合することにより、利用者が利用権限を有しているか否かを判定する。利用権限とは、施設内に設置された管理対象装置を利用することが許可されていることを示す権限である。そして、入退場管理装置は、利用者が利用権限を有すると判定した場合に、情報記憶媒体から読み取った情報と、管理対象装置の利用を許可することを示す利用権限情報とを暗号復号鍵により暗号化することで暗号化情報を作成する。さらに、入退場管理装置は、作成した暗号化情報を当該情報記憶媒体に書き込む。また、入退場管理装置は、利用者が施設への入場権限を有している場合、出入口のドアを開ける等によって、当該情報記憶媒体を所持する利用者の入場を許可する。一方、入退場管理装置は、利用者が施設への入場権限を有していない場合、出入口のドアを開けず、入場を許可しない。
【００１４】
利用者は、管理対象装置を利用する場合、当該管理対象装置に情報記憶媒体を読み取らせる。管理対象装置は、情報記憶媒体から暗号化情報を読み取り、予め入退場管理装置から取得した暗号復号鍵に基づいて復号を試みる。復号が正常に行われない場合、管理対象装置は、利用権限の有無に関わらず、当該管理対象装置を利用不可能な状態に制御する。一方、復号が正常に行われた場合、復号した情報に基づいて、利用者の利用権限の有無を判定し、管理対象装置の利用状態を制御する。本発明によれば、利用権限を有する利用者が所持する情報記憶媒体には、施設に入場する際に利用権限情報が付与され暗号化されている。よって、管理対象装置は、復号した情報に利用権限情報が含まれているか否かを判定することで、容易に利用者の利用権限の有無を判定することができる。
【００１５】
上記入退場管理装置の一態様では、前記暗号復号鍵作成手段は、予め設定された任意のタイミングで前記暗号復号鍵を作成して更新しており、前記鍵情報送信手段は、前記暗号復号鍵作成手段が新たな暗号復号鍵を作成する度に、当該新たな暗号復号鍵を前記管理対象装置へ送信する。これによれば、例えば、施設内でスキミング等により情報記憶媒体が不正コピーされたとしても、任意のタイミングで暗号化及び復号に使用される暗号復号鍵が更新されるため、第三者が後日不正コピーした暗号化情報により管理対象装置を利用しようとしても、正常な復号が行われず利用することはできない。つまり、従来のように、不正コピーされた情報であっても管理対象装置が利用できるといった問題を解消することができる。
【００１６】
上記入退場管理装置の他の一態様では、退場の際に、前記情報記憶媒体から前記暗号化情報を読み取る第２情報読取手段と、前記第２情報読取手段が読み取った暗号化情報を、前記暗号復号鍵作成手段が作成した暗号復号鍵により復号する復号手段と、前記情報記憶媒体から前記暗号化情報を削除し、当該情報記憶媒体に前記復号手段が復号することで作成した復号情報を書き込む第２書込手段と、をさらに備える。これにより、情報記憶媒体に記憶された情報は、利用者が施設に入場している間のみ暗号化されることになる。よって、再び利用者が施設に入場する際には、新たな暗号復号鍵によって情報記憶媒体に記憶された情報を暗号化することができるため、第三者による不正コピーの解析の難易度を高めることができる。換言すると、第三者による不正コピーを防止することができる。
【００１７】
本発明のさらに別の観点では、施設内に設置された管理対象装置と通信可能に接続されており、利用者が所持する情報記憶媒体を使用して前記施設への入退場を管理する入退場管理装置であって、前記情報記憶媒体は、各利用者を識別する識別情報を有しており、前記入退場管理装置は、入場の際に、前記情報記憶媒体から情報を読み取る第１情報読取手段と、前記第１情報読取手段が読み取った情報に含まれる前記識別情報を特定する識別情報特定手段と、前記識別情報特定手段が特定した識別情報に基づいて、前記利用者が前記施設への入場権限を有するか否かを判定する入場権限判定手段と、前記入場権限判定手段により前記利用者が前記施設への入場権限を有すると判定された場合に、前記施設への入場を可能とする入場制御手段と前記入場権限判定手段により前記利用者が前記施設への入場権限を有すると判定された場合に、所定の情報の暗号化及び復号を行う暗号復号鍵を作成する暗号復号鍵作成手段と、前記第１情報読取手段が読み取った情報から、前記識別情報特定手段が特定した識別情報を除いた情報を、前記暗号復号鍵作成手段が作成した暗号復号鍵により暗号化する暗号化手段と、前記情報記憶媒体から前記第１情報読取手段が読み取った情報から前記識別情報を除いた情報を削除し、当該情報記憶媒体に前記暗号化手段が暗号化することで作成した暗号化情報を書き込む第１書込手段と、前記識別情報特定手段が特定した識別情報と、前記暗号復号鍵作成手段が作成した暗号復号鍵とが対応付けされた鍵情報を前記管理対象装置へ送信する鍵情報送信手段と、を備える。
【００１８】
上記のように構成された入退場管理装置は、利用者が施設に入退場する際に、利用者が所持する情報記憶媒体から情報を読み取る。情報記憶媒体には、各利用者を識別する識別情報が記憶されている。入退場管理装置は、識別情報に基づいて利用者が施設への入場権限を有するか否かを判定し、入場権限を有する場合、所定の情報の暗号化及び復号を行うことができる暗号復号鍵を作成する。そして、情報記憶媒体から読み取った情報から、識別情報を除いた情報を、暗号復号鍵により暗号化することで暗号化情報を作成する。つまり、暗号化情報には、識別情報は含まれていない。さらに、入退場管理装置は、情報記憶媒体から読み取った識別情報を除く情報を削除し、代わりに作成した暗号化情報を書き込む。また、入退場管理装置は、利用者が入場権限を有する場合、出入口のドアを開ける等によって、当該情報記憶媒体を所持する利用者の入場を許可する。一方、入退場管理装置は、利用者が入場権限を有していない場合、出入口のドアを開けず、入場を許可しない。さらに、入退場管理装置は、情報記憶媒体を所持する利用者を識別する識別情報と、当該利用者が施設に入場した際に作成した暗号復号鍵とを対応付け、鍵情報として管理者端末へ送信する。
【００１９】
利用者は、管理対象装置を利用する場合、当該管理対象装置に情報記憶媒体を読み取らせる。なお、管理対象装置は、予め入退場管理装置から、情報記憶媒体を所持する利用者を識別する識別情報と、当該利用者が施設に入場した際に作成した暗号復号鍵とを対応付けた鍵情報を取得している。管理対象装置は、情報記憶媒体から識別情報を読み取り、鍵情報から、当該識別情報に対応する暗号復号鍵を抽出する。さらに、管理対象装置は、情報記憶媒体から暗号化情報を読み取り、鍵情報から抽出した暗号復号鍵に基づいて復号を試みる。復号が正常に行われない場合、管理対象装置は、利用権限の有無に関わらず、当該管理対象装置を利用不可能な状態に制御する。一方、復号が正常に行われた場合、復号した情報に基づいて、利用者の利用権限の有無を判定し、管理対象装置の利用状態を制御する。このように、本発明によれば、時間単位ではなく、施設内に入場する利用者、即ち「人」を単位として暗号復号鍵を作成する。そのため、第三者が情報記憶媒体をスキミング等により不正コピーしたとしても、施設に入場する度に暗号復号鍵が異なるため正常な復号を行うことができず、管理対象装置を利用することができない。よって、第三者による管理対象装置の不正利用を防止することができる。
【００２０】
本発明の別の観点では、施設への入退場を管理する入退場管理装置と通信可能に接続されており、前記施設内に設置され、利用者が所持する情報記憶媒体を使用して管理される管理対象装置であって、前記管理対象装置は、前記管理対象装置の利用を許可する利用者を示す識別情報である利用権限識別情報を記憶する利用権限識別情報記憶手段と、前記入退場管理装置から、暗号化された情報を復号する暗号復号鍵を鍵情報として取得する鍵情報取得手段と、前記情報記憶媒体から、前記入退場管理装置によって暗号化された暗号化情報を読み取る暗号化情報読取手段と、前記暗号化情報読取手段が読み取った暗号化情報を、前記鍵情報取得手段が取得した鍵情報に含まれる暗号復号鍵により復号する復号手段と、前記復号手段が復号した復号情報に基づいて、前記識別情報を特定する識別情報特定手段と、識別情報特定手段が特定した識別情報と、前記利用権限識別情報とを照合し、一致するか否かを判定する利用権限判定手段と、前記利用権限判定手段により一致すると判定された場合に、前記管理対象装置が利用可能となるように制御する制御手段と、を備える。
【００２１】
上記のように構成された管理対象装置において、利用者は、当該管理対象装置を利用する場合、自身が所持する情報記憶媒体を読み取らせる。管理対象装置は、情報記憶媒体から暗号化情報を読み取り、予め入退場管理装置から取得した暗号復号鍵に基づいて復号を試みる。復号が正常に行われない場合、管理対象装置は、利用権限の有無に関わらず、当該管理対象装置を利用不可能な状態に制御する。一方、復号が正常に行われた場合、復号により作成した復号情報に基づいて、利用者の利用権限の有無を判定し、管理対象装置の利用状態を制御する。ここで、利用権限とは、管理対象装置の利用が許可されていることを示す権限である。具体的に、管理対象装置は、復号情報に基づいて特定した識別情報と、予め記憶している利用権限識別情報とを照合し、一致する場合に利用者が利用権限を有すると判定する。そして、管理対象装置は、復号が正常に行われ、且つ、利用権限を有する利用者の場合に限り、当該管理対象装置を利用可能な状態に制御する。このように、本発明によれば、スキミング等により情報記憶媒体を不正コピーしたとしても、正常な復号が行われることは稀であるため、不正コピーをした第三者は管理対象装置を利用することはできない。よって、第三者による不正利用を防止することができる。
【００２２】
本発明の別の観点では、施設への入退場を管理する入退場管理装置と通信可能に接続されており、前記施設内に設置され、利用者が所持する情報記憶媒体を使用して管理される管理対象装置であって、前記管理対象装置は、前記入退場管理装置から、暗号化された情報を復号する暗号復号鍵を鍵情報として取得する鍵情報取得手段と、前記情報記憶媒体から、前記入退場管理装置によって暗号化された暗号化情報を読み取る暗号化情報読取手段と、前記暗号化情報読取手段が読み取った暗号化情報を、前記鍵情報取得手段が取得した鍵情報に含まれる暗号復号鍵により復号する復号手段と、前記復号手段が復号した復号情報に、前記管理対象装置の利用を許可する利用権限情報が含まれているか否かを判定する判定手段と、前記判定手段が含まれていると判定した場合に、前記管理対象装置が利用可能となるように制御する制御手段と、を備える。
【００２３】
上記のように構成された管理対象装置において、利用者は、当該管理対象装置を利用する場合、情報記憶媒体を読み取らせる。管理対象装置は、情報記憶媒体から暗号化情報を読み取り、予め入退場管理装置から取得した暗号復号鍵に基づいて復号を試みる。復号が正常に行われない場合、管理対象装置は、利用権限の有無に関わらず、当該管理対象装置を利用不可能な状態に制御する。一方、復号が正常に行われた場合、復号した情報に基づいて、利用者の利用権限の有無を判定し、管理対象装置の利用状態を制御する。具体的に、管理対象装置は、復号情報に利用権限情報が含まれている場合に、利用者が利用権限を有すると判定する。そして、管理対象装置は、復号が正常に行われ、且つ、利用権限を有する利用者の場合に限り、当該管理対象装置を利用可能な状態に制御する。よって、第三者による不正利用を防止することができる。
【００２４】
上記管理対象装置の一態様では、前記鍵情報取得手段は、予め設定された任意のタイミングで、前記入退場管理装置から鍵情報を取得して更新し、前記復号手段は、前記暗号化情報を、前記鍵情報取得手段が取得した最新の鍵情報に含まれる暗号復号鍵により復号する。これによれば、例えば、施設内でスキミング等により情報記憶媒体が不正コピーされたとしても、任意のタイミングで暗号化及び復号に使用される暗号復号鍵が更新されるため、第三者が後日不正コピーした暗号化情報により管理対象装置を利用しようとしても、正常な復号が行われず利用することはできない。つまり、従来のように、不正コピーされた情報であっても管理対象装置が利用できるといった問題を解消することができる。
【００２５】
本発明の別の観点では、施設内への入退場を管理する入退場管理装置と通信可能に接続されており、前記施設内に設置され、利用者が所持する情報記憶媒体を使用して管理される管理対象装置であって、前記情報記憶媒体は、前記入退場管理装置に暗号化された暗号化情報と、前記利用者を識別する識別情報とを有しており、前記管理対象装置は、前記入退場管理装置から、前記識別情報と、暗号化された情報を復号する暗号復号鍵とが対応付けされた鍵情報を取得する鍵情報取得手段と、前記鍵情報取得手段が取得した鍵情報を記憶する鍵情報記憶手段と、前記情報記憶媒体から情報を読み取る第１情報読取手段と、前記第１情報読取手段が読み取った情報に含まれる識別情報を特定する識別情報特定手段と、前記鍵情報記憶手段から、前記識別情報特定手段が特定した識別情報に対応する暗号復号鍵を抽出する暗号復号鍵抽出手段と、前記第１情報読取手段が読み取った情報に含まれる暗号化情報を、前記暗号復号鍵抽出手段が抽出した暗号復号鍵により復号する復号手段と、前記復号手段が復号した復号情報に、前記管理対象装置の利用を許可する利用権限情報が含まれているか否かを判定する利用権限判定手段と、前記利用権限判定手段により前記利用権限情報が含まれていると判定された場合に、前記管理対象装置が利用可能となるように制御する制御手段と、を備える。
【００２６】
上記のように構成された管理対象装置において、利用者は、管理対象装置を利用する場合、当該管理対象装置に情報記憶媒体を読み取らせる。このとき、管理対象装置は、予め入退場管理装置から、情報記憶媒体を所持する利用者を識別する識別情報と、当該利用者が施設に入場した際に作成した暗号復号鍵とを対応付けた鍵情報を取得している。管理対象装置は、情報記憶媒体から識別情報を読み取り、鍵情報から、当該識別情報に対応する暗号復号鍵を抽出する。さらに、管理対象装置は、情報記憶媒体から暗号化情報を読み取り、鍵情報から抽出した暗号復号鍵に基づいて復号を試みる。復号が正常に行われない場合、管理対象装置は、利用権限の有無に関わらず、当該管理対象装置を利用不可能な状態に制御する。一方、復号が正常に行われた場合、復号した情報に基づいて、利用者の利用権限の有無を判定し、管理対象装置の利用状態を制御する。このように、本発明によれば、時間単位ではなく、施設内に入場する利用者、即ち「人」を単位として暗号復号鍵を作成する。そのため、第三者が情報記憶媒体をスキミング等により不正コピーしたとしても、施設に入場する度に暗号復号鍵が異なるため正常な復号を行うことができず、管理対象装置を利用することができない。よって、第三者による管理対象装置の不正利用を防止することができる。
【００２７】
本発明の別の観点では、利用者が所持する情報記憶媒体を使用して、施設内に設置された管理対象装置の利用を管理する管理システムであって、前記管理システムは、前記管理対象装置と、前記利用者による前記施設への入退場を管理する入退場管理装置とが通信可能に接続され、前記情報記憶媒体は、各利用者を識別する識別情報を有しており、前記入退場管理装置は、所定の情報の暗号化及び復号を行う暗号復号鍵を作成する暗号復号鍵作成手段と、前記暗号復号鍵作成手段が作成した暗号復号鍵を鍵情報として、前記管理対象装置へ送信する鍵情報送信手段と、入場の際に、前記情報記憶媒体から情報を読み取る第１情報読取手段と、前記第１情報読取手段が読み取った情報に含まれる識別情報に基づいて、前記利用者が前記施設への入場権限を有するか否かを判定する入場権限判定手段と、前記入場権限判定手段により前記利用者が前記施設への入場権限を有すると判定された場合に、前記施設への入場を可能とする入場制御手段と、前記第１情報読取手段が読み取った情報を、前記暗号復号鍵作成手段が作成した暗号復号鍵により暗号化する暗号化手段と、前記情報記憶媒体から前記第１情報読取手段が読み取った情報を前記暗号化手段が暗号化することで作成した暗号化情報を、当該情報記憶媒体に書き込む第１書込手段と、を備え、前記管理対象装置は、前記管理対象装置の利用を許可する利用者を示す識別情報である利用権限識別情報を記憶する利用権限識別情報記憶手段と、前記入退場管理装置から、前記暗号復号鍵を鍵情報として取得する鍵情報取得手段と、前記情報記憶媒体から、前記暗号化情報を読み取る暗号化情報読取手段と、前記暗号化情報読取手段が読み取った暗号化情報を、前記鍵情報取得手段が取得した鍵情報に含まれる暗号復号鍵により復号する復号手段と、前記復号手段が復号した復号情報に基づいて、前記識別情報を特定する識別情報特定手段と、識別情報特定手段が特定した識別情報と、前記利用権限識別情報とを照合し、一致するか否かを判定する利用権限判定手段と、前記利用権限判定手段により一致すると判定された場合に、前記管理対象装置が利用可能となるように制御する制御手段と、を備える。これによれば、暗号化情報に基づいて管理対象装置の利用状態を制御するため、スキミング等、何らかの方法で第三者が情報記憶媒体を不正コピーしたとしても、容易に解析することは難しい。
【００２８】
本発明の別の観点では、利用者が所持する情報記憶媒体を使用して、施設内に設置された管理対象装置の利用を管理する管理システムであって、前記管理システムは、前記管理対象装置と、前記利用者による前記施設への入退場を管理する入退場管理装置とが通信可能に接続され、前記情報記憶媒体は、各利用者を識別する識別情報を有しており、前記入退場管理装置は、前記管理対象装置の利用を許可する利用者を示す識別情報である利用権限識別情報を記憶する利用権限識別情報記憶手段と、所定の情報の暗号化及び復号を行う暗号復号鍵を作成する暗号復号鍵作成手段と、前記暗号復号鍵作成手段が作成した暗号復号鍵を鍵情報として、前記管理対象装置へ送信する鍵情報送信手段と、入場の際に、前記情報記憶媒体から情報を読み取る第１情報読取手段と、前記第１情報読取手段が読み取った情報に含まれる識別情報に基づいて、前記利用者が前記施設への入場権限を有するか否かを判定する入場権限判定手段と、前記入場権限判定手段により前記利用者が前記施設への入場権限を有すると判定された場合に、前記施設への入場を可能とする入場制御手段と、前記第１情報読取手段が読み取った情報に含まれる識別情報と、前記利用権限識別情報とを照合し、一致するか否かを判定する利用権限判定手段と、前記利用権限判定手段により一致すると判定された場合に、前記第１情報読取手段が読み取った情報と、前記管理対象装置の利用を許可する利用権限情報とを有する情報を、前記暗号復号鍵作成手段が作成した暗号復号鍵により暗号化する暗号化手段と、前記情報記憶媒体から前記第１情報読取手段が読み取った情報を前記暗号化手段が暗号化することで作成した暗号化情報を、当該情報記憶媒体に書き込む第１書込手段と、を備え、前記管理対象装置は、前記入退場管理装置から、前記暗号復号鍵を鍵情報として取得する鍵情報取得手段と、前記情報記憶媒体から、前記暗号化情報を読み取る暗号化情報読取手段と、前記暗号化情報読取手段が読み取った暗号化情報を、前記鍵情報取得手段が取得した鍵情報に含まれる暗号復号鍵により復号する復号手段と、前記復号手段が復号した復号情報に、前記管理対象装置の利用を許可する利用権限情報が含まれているか否かを判定する判定手段と、前記判定手段が含まれていると判定した場合に、前記管理対象装置が利用可能となるように制御する制御手段と、を備える。これによれば、管理対象装置は、復号した情報に利用権限情報が含まれているか否かを判定することで、容易に利用者の利用権限の有無を判定することができる。
【００２９】
本発明の別の観点では、利用者が所持する情報記憶媒体を使用して、施設内に設置された管理対象装置の利用を管理する管理システムであって、前記管理システムは、前記管理対象装置と、前記利用者による前記施設への入退場を管理する入退場管理装置とが通信可能に接続され、前記情報記憶媒体は各利用者を識別する識別情報と、前記管理対象装置の利用を許可する利用権限情報とを有しており、前記入退場管理装置は、入場の際に、前記情報記憶媒体から情報を読み取る第１情報読取手段と、前記第１情報読取手段が読み取った情報に含まれる前記識別情報を特定する識別情報特定手段と、前記識別情報特定手段が特定した識別情報に基づいて、前記利用者が前記施設への入場権限を有するか否かを判定する入場権限判定手段と、前記入場権限判定手段により前記利用者が前記施設への入場権限を有すると判定された場合に、前記施設への入場を可能とする入場制御手段と、前記入場権限判定手段により前記利用者が前記施設への入場権限を有すると判定された場合に、所定の情報の暗号化及び復号を行う暗号復号鍵を作成する暗号復号鍵作成手段と、前記第１情報読取手段が読み取った情報から、前記識別情報特定手段が特定した識別情報を除いた情報を、前記暗号復号鍵作成手段が作成した暗号復号鍵により暗号化する暗号化手段と、前記情報記憶媒体から前記第１情報読取手段が読み取った情報から前記識別情報を除いた情報を削除し、前記暗号化手段が暗号化することで作成した暗号化情報を当該情報記憶媒体に書き込む第１書込手段と、前記識別情報特定手段が特定した識別情報と、前記暗号復号鍵作成手段が作成した暗号復号鍵とが対応付けされた鍵情報を前記管理対象装置へ送信する鍵情報送信手段と、を備え、前記管理対象装置は、前記入退場管理装置から、前記識別情報及び前記暗号復号鍵が対応付けされた鍵情報を取得する鍵情報取得手段と、前記鍵情報取得手段が取得した鍵情報を記憶する鍵情報記憶手段と、前記情報記憶媒体から情報を読み取る第２情報読取手段と、前記第２情報読取手段が読み取った情報に含まれる識別情報を特定する識別情報特定手段と、前記鍵情報記憶手段から、前記識別情報特定手段が特定した識別情報に対応する暗号復号鍵を抽出する暗号復号鍵抽出手段と、前記第２情報読取手段が読み取った情報に含まれる暗号化情報を、前記暗号復号鍵抽出手段が抽出した暗号復号鍵により復号する復号手段と、前記復号手段が復号した復号情報に、前記管理対象装置の利用を許可する利用権限情報が含まれているか否かを判定する利用権限判定手段と、前記利用権限判定手段により前記利用権限情報が含まれていると判定された場合に、前記管理対象装置が利用可能となるように制御する制御手段と、を備える。これによれば、時間単位ではなく、施設内に入場する利用者、即ち「人」を単位として暗号復号鍵を作成する。そのため、第三者が情報記憶媒体をスキミング等により不正コピーしたとしても、施設に入場する度に暗号復号鍵が異なるため正常な復号を行うことができず、管理対象装置を利用することができない。よって、第三者による管理対象装置の不正利用を防止することができる。
【００３０】
本発明の別の観点では、施設内に設置された管理対象装置と通信可能に接続されており、利用者が所持する情報記憶媒体を使用して前記施設への入退場を管理するコンピュータにより実行されるプログラムであって、前記情報記憶媒体は、各利用者を識別する識別情報を有しており、前記プログラムは、所定の情報の暗号化及び復号を行う暗号復号鍵を作成する暗号復号鍵作成手段、前記暗号復号鍵作成手段が作成した暗号復号鍵を鍵情報として、前記管理対象装置へ送信する鍵情報送信手段、入場の際に、前記情報記憶媒体から情報を読み取る第１情報読取手段、前記第１情報読取手段が読み取った情報に含まれる識別情報に基づいて、前記利用者が前記施設への入場権限を有するか否かを判定する入場権限判定手段、前記入場権限判定手段により前記利用者が前記施設への入場権限を有すると判定された場合に、前記施設への入場を可能とする入場制御手段、前記第１情報読取手段が読み取った情報を、前記暗号復号鍵作成手段が作成した暗号復号鍵により暗号化する暗号化手段、前記情報記憶媒体から前記第１情報読取手段が読み取った情報を前記暗号化手段が暗号化することで作成した暗号化情報を、当該情報記憶媒体に書き込む第１書込手段、として前記コンピュータを機能させる。
【００３１】
上記プログラムをコンピュータにより実行することにより、上述の入退場管理装置を実現することができる。また、上述の入退場管理装置の各態様も同様に実現することができる。
【００３２】
本発明のさらに別の観点では、施設への入退場を管理する入退場管理装置と通信可能に接続されており、前記施設内に設置され、利用者が所持する情報記憶媒体を使用して管理されるコンピュータにより実行されるプログラムであって、前記プログラムは、前記コンピュータの利用を許可する利用者を示す識別情報である利用権限識別情報を記憶する利用権限識別情報記憶手段、前記入退場管理装置から、暗号化された情報を復号する暗号復号鍵を鍵情報として取得する鍵情報取得手段、前記情報記憶媒体から、前記入退場管理装置によって暗号化された暗号化情報を読み取る暗号化情報読取手段、前記暗号化情報読取手段が読み取った暗号化情報を、前記鍵情報取得手段が取得した鍵情報に含まれる暗号復号鍵により復号する復号手段、前記復号手段が復号した復号情報に基づいて、前記識別情報を特定する識別情報特定手段、識別情報特定手段が特定した識別情報と、前記利用権限識別情報とを照合し、一致するか否かを判定する利用権限判定手段、前記利用権限判定手段により一致すると判定された場合に、前記コンピュータが利用可能となるように制御する制御手段、として前記コンピュータを機能させる。
【００３３】
上記プログラムをコンピュータにより実行することにより、上述の管理対象装置を実現することができる。また、上述の管理対象装置の各態様も同様に実現することができる。
【発明の効果】
【００３４】
本発明によれば、情報記憶媒体を使用して、入室が管理された施設内に設置された電子機器や設備の不正利用を防止することができる。
【発明を実施するための最良の形態】
【００３５】
以下、図面を参照して本発明の好適な実施の形態について説明する。
【００３６】
本発明は、暗号化技術により、情報記憶媒体を使用して、入室が管理された施設内に設置された管理対象装置の不正利用を防止するものである。
【００３７】
本実施形態において不正利用を防止するために、管理対象装置となる電子機器の利用を管理する管理システムの概要を図１に示す。なお、本発明における施設とは、例えば、部屋、ビル、ビル内のフロア、特定場所、特定エリア、特定領域、特定地域、などが含まれるが、本実施形態の説明においては、一例として電子機器が備えられている部屋について説明する。なお、本実施形態では、管理対象装置は、部屋４内に設置されたコピー機５０であるものとする。
【００３８】
部屋４の内部に設置された電子機器であるコピー機５０は、利用権限を有する利用者のみ利用することができる。利用者は、それぞれ情報記憶媒体である非接触ＩＣカード３を所持しており、当該非接触ＩＣカード３には各利用者を識別する識別情報が記憶されている。本実施形態では、識別情報として社員ＩＤを適用するものとする。
【００３９】
この部屋４の入口５ａの近傍には、入室管理装置６が備えられ、この入室管理装置６により入口５ａに備えられている自動ドア７の開閉状態がコントロールされている。入室管理装置６は、非接触ＩＣカード３との間で無線により情報の伝送が行えるように構成され、非接触ＩＣカード３に記憶されている情報の読み取りと、非接触ＩＣカード３への任意の情報の書き込みが可能である。さらに、この部屋４の出口５ｂの近傍には、退室管理装置１０が備えられ、この退室管理装置１０により自動ドア７の開閉状態がコントロールされている。また、退室管理装置１０は、非接触ＩＣカード３との間で無線により情報の伝送が行えるように構成され、非接触ＩＣカード３に記憶されている情報の読み取りと、非接触ＩＣカード３への任意の情報の書き込みが可能である。このように、本実施形態では、入退室のアクセス制御として非接触ＩＣカード３を使用している。
【００４０】
なお、部屋４には、入口５ａと出口５ｂを別々に設ける場合と、入口５ａと出口５ｂを１つにして出入口とする場合とがあるが、図１には、１つの出入口を用いた場合が示されている。また、入室管理装置６と退室管理装置１０を一体型に構成した入退室管理装置とし、部屋の外部と内部を隔てる壁の一部に設けるようにしてもよい。ここで、入退室管理装置とは、例えば、非接触ＩＣカード３からの情報の読取及び非接触ＩＣカード３への情報の書込を行うことができるＩＣカードリーダライタ等を備えている。
【００４１】
また、コピー機５０はＩＣカードリーダライタ９が備えられている。ＩＣカードリーダライタ９は、入退室管理装置と同様に、非接触ＩＣカード３からの情報の読取を行うことができる。コピー機５０は、非接触ＩＣカード３を所持する利用者が利用権限を有する場合のみ、利用可能な状態に制御される。さらに、コピー機５０は、ネットワーク６０を介して、入室管理装置６及び退室管理装置１０と通信可能に接続されている。
【００４２】
情報記憶媒体である非接触ＩＣカード３は、例えば、図２乃至図４に示すように、カード基材３０及び３１の内部に非接触ＩＣタグ８が内蔵された構成を有している。非接触ＩＣタグ８は、例えば、非接触データキャリアやＲＦＩＤともいわれ、図４に示すように、プラスチック等の基材８１にコイルパターンからなる送受信部８８が形成されている。非接触ＩＣタグ８は、コイルと容量素子とにより共振回路を形成して一定周波数の電波を受信及び送信する。また、他の方式として、リーダライタからの搬送波の電磁誘導により電力伝送及びデータ伝送を行うようにしてもよい。一般的には、１３５ｋＨｚ（中波）、１３．５６ＭＨｚ、２．４５ＧＨｚ（マイクロ波）の周波数帯が使用される。
【００４３】
図示した例の場合、コイルパターンからなる送受信部８８は、導通部材８４により基材８１の裏面でジャンピング回路を形成し、コイル接続端子８８ＣによりＩＣチップ８２の裏面のバンプに接続している。ＩＣチップ８２には、ＣＰＵである制御部８９と、メモリである記憶部９０とが備えられている。
【００４４】
図示した例では、容量素子はＩＣチップ８２に内蔵されている。このような非接触ＩＣタグ８は、樹脂基材にラミネートしたアルミ箔等の金属箔をフォトエッチングやレジスト印刷後のエッチングすることによりコイルパターンを形成し、ＩＣチップ８２を装着し、保護用の被覆を設けることにより形成される。その大きさも３０ｍｍ×３０ｍｍ程度以下のサイズとすることができる。
【００４５】
非接触ＩＣタグ８に使用する樹脂基材８１としては、ＰＥＴやポリプロピレン、ポリエチレン、ポリスチレン、ナイロン等の各種材料を使用することができ、紙であってもよい。厚みは１５〜３００μｍとすることができるが、強度、加工作業性、コスト等の点から２０〜１００μｍがより好ましい。金属箔としては銅箔やアルミ箔あるいは鉄箔を使用できるが、コスト、加工性からアルミ箔が好ましく、その厚みは６〜５０μｍ程度が好ましい。
【００４６】
これらの非接触ＩＣタグ８に記録した情報の読み取りや情報の書き込みは、ＩＣカードリーダライタ９から非接触ＩＣタグ８に対して共振する呼び出し信号を発信し、数ｃｍから数十ｃｍの距離で非接触ＩＣタグ８からの応答信号を読み取る。これにより、非接触ＩＣタグ８のＩＣチップ８２の記憶部であるメモリに記録された情報を読み取ったり、情報を書き込んだりすることができる。また、ＩＣチップ８２の記憶部であるメモリには、本人であることを認証するためのＩＤ情報（識別情報）が予め登録されている。
【００４７】
次に、図５の機能ブロック図を参照し、システム構成を詳細に説明する。図５には、非接触ＩＣカード３、入退室管理装置、ＩＣカードリーダライタ９及びコピー機５０を含むシステム構成が示されている。
【００４８】
なお、図５のブロック図における、入退室管理装置は、図１における入室管理装置６及び退室管理装置１０を一体型に構成した装置である。
【００４９】
出入口５の近傍に設けられた入退室管理装置は、送受信部１１、鍵作成部１２、入室権限判定部１３、記憶部１４、暗号化部１５、情報書込部１６、ドア開閉部１７、復号部１８、通信部１９及び制御部２０を有している。各部は、制御部２０により制御される。
【００５０】
送受信部１１は、非接触ＩＣカード３の送受信部８８と無線による情報の送受信を行い、非接触ＩＣカード３に記憶された情報を読み取る。
【００５１】
鍵作成部１２は、所定の情報の暗号化及び復号をするための共通鍵を作成する。暗号化とは、文書や画像などのデジタルデータをやり取りする際に、通信途中で第三者に盗み見られたり改ざんされたりしないよう、決まった規則に従ってデータを変換することである。一方、復号とは、暗号化されたデータを暗号化前の状態に戻す変換をすることである。暗号化及び復号には暗号表に当たる「鍵」を使うが、対になる２つの鍵を使う公開鍵暗号方式と、どちらにも同じ鍵を用いる共通鍵暗号方式がある。本実施形態では、共通鍵暗号方式を適用するが、本発明はこれに限定されるものではなく、暗号化及び復号に使用する鍵は、任意の方式を適用することができる。共通鍵とは、共通鍵暗号方式で使用される鍵のことであって、共通鍵暗号方式とは、暗号化と復号に用いる鍵が共通であり、１つの共通鍵を使用して、データの暗号化と復号を行う方式である。
【００５２】
なお、本実施形態では、鍵作成部１２は、１日単位で新しい共通鍵を作成し、更新するものとする。しかし、本発明はこれに限定されるものではなく、新しい共通鍵を作成するタイミングは任意に設定することができる。
【００５３】
また、鍵作成部１２は、通信部１９を介し、作成した共通鍵を鍵情報としてコピー機５０へ送信する。本実施形態では、鍵作成部１２が新しい共通鍵を作成するとすぐに、通信部１９を介してコピー機５０へ送信するものとする。
【００５４】
入室権限判定部１３は、入退室の際に非接触ＩＣカード３から読み取った情報に含まれる識別情報と、予め記憶部１４に記憶されている入室権限テーブルとに基づいて、当該非接触ＩＣカードを所持する利用者が入室権限を有しているか否かを判定する。
【００５５】
ここで、図６を参照して、記憶部１４に記憶されている入室権限テーブルについて説明する。図６は、入室権限テーブルのデータ構造を模式的に示す図である。なお、本実施形態において非接触ＩＣカード３には、識別情報として社員ＩＤが含まれている。
【００５６】
入室権限テーブルは、図示のように、社員ＩＤ及び入室権限の項目から構成されている。社員ＩＤは、各利用者を識別する情報である。入室権限は、部屋４に入室することができる権限であり、入室権限テーブルでは、入室権限を持つ社員ＩＤに対応する入室権限項目に丸（○）が格納される。入室権限判定部１３は、非接触ＩＣカード３に記憶から読み取った情報に含まれる識別情報、即ち社員ＩＤに基づいて入室権限テーブルを参照することにより、当該非接触ＩＣカードを所持する利用者が入室権限を有しているか否かを容易に判定することができる。
【００５７】
入室権限判定部１３により、入室の際、非接触ＩＣカード３を所持する利用者が入室権限を有していると判定された場合、暗号化部１５は、送受信部１１により非接触ＩＣカード３から読み取った情報を暗号化する。具体的に、暗号化部１５は、鍵作成部１２が作成した共通鍵により、社員ＩＤを含む情報を暗号化することで、暗号化情報を作成する。なお、暗号化部１５が使用する共通鍵は、常に最新の共通鍵である。
【００５８】
情報書込部１６は、入室の際、非接触ＩＣカード３を所持する者が入室権限を有していると判定された場合、当該非接触ＩＣカード３に対して、暗号化部１５により作成された暗号化情報を送信し、記憶部９０に暗号化情報の書込を行う。このとき、情報書込部１６は、非接触ＩＣカード３に記憶されている情報に暗号化情報を上書きする。つまり、非接触ＩＣカード３には、予め記憶されていた社員ＩＤを含む情報の代わりに、暗号化情報が記憶されることになる。換言すると、非接触ＩＣカード３をＩＣカードリーダライタ等で読み取ったとしても、暗号化されていない社員ＩＤを読み取ることはできなくなる。
【００５９】
復号部１８は、退室の際、送受信部１１により非接触ＩＣカード３から読み取った暗号化情報を復号する。具体的に、復号部１８は、鍵作成部１２が作成した共通鍵により、暗号化情報を復号することで、暗号化される前の社員ＩＤを含む情報に変換した復号情報を作成する。なお、復号部１８が使用する共通鍵は、暗号化部１５で使用された共通鍵である。
【００６０】
情報書込部１６は、退室の際、利用者が所持する非接触ＩＣカード３に対して、復号部１８により作成された復号情報を送信し、記憶部９０に復号情報の書込を行う。このとき、情報書込部１６は、非接触ＩＣカード３に記憶されている暗号化情報に復号情報を上書きする。つまり、非接触ＩＣカード３には、入室の際に書き込まれた暗号化情報の代わりに、暗号化される前の社員ＩＤを含む復号情報が記憶されることになる。換言すると、非接触ＩＣカード３をＩＣカードリーダライタ等で読み取ったとしても、暗号化情報を読み取ることはできなくなる。
【００６１】
ドア開閉部１７は、入室権限判定部１３により、入退室の際、非接触ＩＣカード３を所持する利用者が入室権限を有していると判定された場合に自動ドア７を開く。
【００６２】
このように、本システムでは、入室権限を有する利用者が部屋４内に入室している間、当該利用者が所持する非接触ＩＣカード３に記憶されている情報は暗号化されている。これに伴い本システムでは、部屋４を退室する際に、利用者が所持する非接触ＩＣカード３に記憶されている暗号化情報が復号される。
【００６３】
なお、本実施形態では、入室の際に非接触ＩＣカード３から読み取った社員ＩＤを含む情報を暗号化することとしているが、入室の際に非接触ＩＣカード３から社員ＩＤのみを読み取り、当該社員ＩＤを共通鍵で暗号化することで暗号化情報を作成することとしてもよい。
【００６４】
また、本実施形態では、入室の際、非接触ＩＣカード３に記憶されている情報に暗号化情報を上書きすることとしているが、本発明はこれに限定されるものではなく、非接触ＩＣカード３において、暗号化されていない社員ＩＤの代わりに暗号化された社員ＩＤを記憶することができれば、他の種々の方法を適用することができる。また、退室の際、非接触ＩＣカード３に記憶されている暗号化情報に復号情報を上書きすることとしているが、本発明はこれに限定されるものではなく、非接触ＩＣカード３において暗号化された社員ＩＤの代わりに暗号化前の社員ＩＤが記憶されれば他の種々の方法を適用することができる。
【００６５】
また、本実施形態では、記憶部１４に記憶される入室権限テーブルのデータ構造を図６に示すようにしているが、本発明はこれに限定されるものではなく、非接触ＩＣカード３から読み取った識別情報に基づいて入室権限の有無が判定できれば、データ構造は任意に設定することができるものとする。
【００６６】
コピー機５０は、表示部２１、インタフェース（Ｉ／Ｆ）２２、入力部２３、鍵情報受信部２４、復号部２５、利用権限判定部２６、ロック制御部２７、通信部２８及び制御部２９を有している。各部は、制御部２９により制御される。また、コピー機５０は、データベース７０に接続されている。
【００６７】
鍵情報受信部２４は、通信部２８を介して、入退室管理装置から鍵情報を受信する。鍵情報とは、入退室管理装置の鍵作成部１２が作成した共通鍵である。本実施形態では、鍵情報受信部２４は、入退室管理装置が新しい共通鍵を作成したタイミングで、鍵情報を受信することとしている。しかし、本発明はこれに限定されるものではなく、コピー機５０が利用者によって利用されるタイミングで、鍵情報受信部２４が入退室管理装置から鍵情報をダウンロードすることとしてもよい。即ち、コピー機５０に設定された任意のタイミングで鍵情報をダウンロードすることにより受信することとしてもよい。
【００６８】
復号部２５は、ＩＣカードリーダライタ９から非接触ＩＣカード３に対して信号を送信する。こうして、非接触ＩＣカード３の記憶部９０に記憶されている情報を読み取り、当該情報を鍵情報受信部２４が受信した鍵情報に基づいて復号する。具体的に、復号部２５は、非接触ＩＣカード３の記憶部９０から暗号化情報を読み取り、鍵情報に含まれる共通鍵に基づいて当該暗号化情報を復号して復号情報を作成する。復号部２５は、さらに、作成した復号情報に含まれる社員ＩＤを特定する。
【００６９】
利用権限判定部２６は、復号部２５が特定した社員ＩＤと、データベース７０に記憶されている利用権限テーブルとに基づいて、利用者がコピー機５０の利用権限を有しているか否かを判定する。
【００７０】
ここで、図７を参照して、データベース７０に記憶されている利用権限テーブルについて説明する。図７は、データベース７０のデータ構造を模式的に示す図である。データベース７０に記憶されている利用権限テーブルは、図示のように、社員ＩＤ及び利用権限の項目から構成されている。社員ＩＤは、各利用者を識別する情報である。利用権限は、部屋４に設置されたコピー機５０を利用することができる権限であり、利用権限テーブルでは、利用権限を持つ社員ＩＤに対応する利用権限項目に丸（○）が格納される。利用権限判定部２６は、復号部２５が特定した社員ＩＤに基づいて利用権限テーブルを参照することにより、当該非接触ＩＣカードを所持する利用者が利用権限を有しているか否かを容易に判定することができる。
【００７１】
ロック制御部２７は、利用権限判定部２６が、非接触ＩＣカード３を所持する利用者が利用権限を有すると判定した場合に、コピー機５０のロックを解除し、利用可能な状態に制御する。また、ロック制御部２７は、ＩＣカードリーダライタ９上に非接触ＩＣカード３が配置されているか否かを常に判定しており、ＩＣカードリーダライタ９上から非接触ＩＣカード３が取り外され、コピー機５０の利用が終了した場合に、コピー機５０をロックし、利用不可能な状態に制御する。
【００７２】
本実施形態において、復号部２５が使用する共通鍵は、常に最新の共通鍵である。最新の共通鍵により復号できない場合、非接触ＩＣカード３を所持する利用者が利用権限を有するか否かに関わらず、ロック制御部２７は、コピー機５０をロックし、利用不可能な状態に制御する。よって、例えば、部屋４内で暗号化情報がスキミング等により不正コピーされたとしても、１日単位で暗号化及び復号に使用される共通鍵が異なるため、後日その不正コピーされた暗号化情報に基づいてコピー機５０を利用することはできない。つまり、従来のように、不正コピーされた情報に基づいてコピー機５０を利用されてしまうという問題を解消することができる。
【００７３】
なお、本実施形態では、図１及び図５に示すように、部屋４内に設置された管理対象装置はコピー機５０のみであるが、本発明はこれに限定されるものではなく、部屋４内に複数の管理対象装置が設置されていることとしてもよい。
【００７４】
また、本実施形態では、図１及び図５に示すように、コピー機５０がデータベース７０に接続され、利用権限テーブルがデータベース７０に記憶されていることとしているが、本発明はこれに限定されるものではなく、コピー機５０がデータベースに接続されておらず、利用権限テーブルがコピー機５０の有する記憶部に記憶されていることとしてもよい。さらに、鍵情報受信部２４は、この記憶部に鍵情報を記憶し、常に最新の共通鍵となるよう更新することとしてもよい。
【００７５】
以上の構成を有する本実施形態においては、部屋４が施設に相当し、入退室管理装置が入退場管理装置として機能する。また、コピー機５０が管理対象装置として機能する。
【００７６】
次に、上述の管理システムによる入室処理について図８を参照して説明する。図８は、入室処理のフローチャートである。
【００７７】
なお、入退室管理装置の鍵作成部１２は、共通鍵を作成し、コピー機５０へ送信しているものとする。
【００７８】
まず、入室が管理された施設である部屋４に入室する際、利用者は、部屋４の入口から入室するために、情報記憶媒体である非接触ＩＣカード３を入退室管理装置に近づける。この際、入退室管理装置は、非接触ＩＣカード３の記憶部９０に記憶されている情報を読み取り、社員ＩＤを特定する（ステップＳ１）。入退室管理装置の権限判定部１２は、読み取られた社員ＩＤと、入退室管理装置の記憶部１４に予め登録されている入室権限テーブルとに基づいて、非接触ＩＣカード３を所持する利用者が入室権限を有しているか否かを判定する（ステップＳ２）。入室権限を有していない場合（ステップＳ２；Ｎｏ）、自動ドア７を開くことなく処理は終了する。
【００７９】
一方、入室権限を有している場合（ステップＳ２；Ｙｅｓ）、暗号化部１５は、非接触ＩＣカード３から読み取った社員ＩＤを含む情報を、鍵作成部１２が作成した共通鍵により暗号化することで、暗号化情報を作成する（ステップＳ３）。さらに、情報書込部１６は、非接触ＩＣカード３から読み取った社員ＩＤを含む情報に、暗号化部１５が作成した暗号化情報を上書きする（ステップＳ４）。そして、ドア開閉部１３は、自動ドア７を開き、入室権限を有する利用者が部屋４へ入室可能な状態とする。これにより、入室処理は完了する。
【００８０】
次に、上述の管理システムによる利用処理について図９を参照して説明する。図９は、利用処理のフローチャートである。
【００８１】
なお、コピー機５０の鍵情報受信部２４は、入退室管理装置から最新の共通鍵を受信しているものとする。
【００８２】
入口から入室した利用者は、コピー機５０に備えられているＩＣカードリーダライタ９に非接触ＩＣカード３を近づけ、ＩＣカードリーダライタ９は非接触ＩＣカード３の記憶部９０から暗号化情報を読み取る（ステップＳ１１）。さらに、コピー機５０の復号部２５は、非接触ＩＣカード３から読み取った暗号化情報を、最新の共通鍵により復号することにより復号情報を作成する（ステップＳ１２）。復号できない等問題がある場合（ステップＳ１３；Ｎｏ）、コピー機５０は利用不可能な状態に制御されたまま（ステップＳ１７）、利用処理は終了する。即ち、利用者はコピー機５０を利用することができない。
【００８３】
一方、復号に問題がない場合（ステップＳ１３；Ｙｅｓ）、復号部２５は、作成した復号情報に含まれる社員ＩＤを特定する。さらに、利用権限判定部２６は、特定した社員ＩＤに基づいて、データベース７０に記憶された利用権限テーブルを参照することで、非接触ＩＣカード３を所持する利用者が、コピー機５０の利用権限を有しているか否かを判定する（ステップＳ１４）。利用権限がないと判定された場合（ステップＳ１４；Ｎｏ）、コピー機５０は利用不可能な状態に制御されたまま（ステップＳ１７）、利用処理は終了する。即ち、利用者はコピー機５０を利用することができない。
【００８４】
一方、利用権限があると判定された場合（ステップＳ１４；Ｙｅｓ）、ロック制御部２７により、コピー機５０は利用可能な状態に制御される（ステップＳ１５）。即ち、利用者はコピー機５０を利用することができる。その後、ロック制御部２７は、ＩＣカードリーダライタ９から非接触ＩＣカード３が取り外されたか否かを判定する（ステップＳ１６）。取り外されたと判定した場合（ステップＳ１６；Ｙｅｓ）、利用権限を有する利用者によるコピー機５０の利用が終了したと判断し、ロック制御部２７は、コピー機５０を再び利用不可能な状態に制御する（ステップＳ１７）。これにより、利用処理は完了する。
【００８５】
利用者は、非接触ＩＣカード３を入退室管理装置にかざすことで、部屋４から退室する。このとき、入退室管理装置は、非接触ＩＣカード３に記憶された暗号化情報を、当該暗号化情報を共通鍵で復号した復号情報に上書きする。上書きした後、自動ドア７を開けることにより、利用者は部屋４から退室することができる。
【００８６】
このように、本発明では、部屋４の出入口に設置された入退室管理装置は、予め暗号化及び復号のための共通鍵を作成し、管理対象装置も当該共通鍵を保有している。入退室管理装置は、非接触ＩＣカード３から情報を読み取った後、当該情報を共通鍵により暗号化することで暗号化情報を作成する。さらに、入退室管理装置は、作成した暗号化情報を非接触ＩＣカード３に上書きする。部屋４内に設置された管理対象装置は、自身が保有する共通鍵により非接触ＩＣカード３から読み取った暗号化情報を復号することで復号情報を作成し、当該復号情報に基づいて利用権限の有無を判定する。そして、暗号化情報の復号に問題がなく、且つ、利用権限を有する利用者の場合に、管理対象装置は利用可能な状態に制御される。
【００８７】
これによれば、入室権限を有する利用者が部屋４内に入室している間、当該利用者が所持する非接触ＩＣカード３に記憶されている情報は暗号化されている。そして、部屋４内に設置された管理対象装置は、暗号化情報を共通鍵で復号することにより、利用可能状態とするか否かを判断する。具体的に、管理対象装置は、最新の共通鍵により復号できない場合、非接触ＩＣカード３を所持する利用者が利用権限を有するか否かに関わらず、ロック制御部２７は、コピー機５０をロックし、利用不可能な状態に制御する。よって、例えば、部屋４内で暗号化情報がスキミング等により不正コピーされたとしても、共通鍵は任意のタイミングで更新されるため、後日その不正コピーされた暗号化情報に基づいてコピー機５０を利用することは不可能となる。つまり、従来のように、不正コピーされた情報に基づいてコピー機５０を利用されてしまうという問題を解消することができる。
【００８８】
なお、本実施形態では、非接触ＩＣカード３を利用することとしているが、本発明はこれに限定されるものではなく、情報記憶媒体を装着した携帯電話を利用することとしてもよい。つまり、本発明では、入退室のアクセス制御として利用可能であれば任意の可般記憶媒体を適用することができる。
【００８９】
なお、本実施形態では、情報書込部１６は、入室の際、非接触ＩＣカード３に記憶されている情報に暗号化情報を上書きすることとしているが、本発明はこれに限定されるものではなく、非接触ＩＣカード３の他の領域に暗号化情報を新たに書き込むこととしてもよい。具体的にこの場合、非接触ＩＣカード３には、社員ＩＤ及び暗号化情報が記憶されることとなる。
【００９０】
また、本実施形態では、非接触ＩＣカード３は識別情報のみを有しており、入退室管理装置が、読み取った識別情報に基づいて入室権限テーブルを参照することで、入室権限の有無を判定することとしている。しかし、本発明はこれに限定されるものではなく、非接触ＩＣカード３が入室権限の有無を示す情報を有していることとしてもよい。この場合、非接触ＩＣカード３から読み取った情報に基づいて入室権限の有無を判定する。
【００９１】
また、本実施形態では、管理対象装置としてコピー機を例に説明しているが、本発明はこれに限定されるものではなく、例えばプリンタやロッカー等パソコン以外のあらゆる電子機器又は設備に適用することができる。
【００９２】
また、本実施形態では、図５に示すように、入退室管理装置にＩＣカードリーダライタの機能が包含されているが、本発明はこれに限定されるものではなく、入退室管理装置とＩＣカードリーダライタが一体ではなく、有線又は無線により通信可能に接続された別々の装置であることとしてもよい。この場合、ＩＣカードリーダライタ及び入退室管理装置が有する機能は任意に設定することができる。例えば、鍵生成部１２や暗号化部１５は、ＩＣカードリーダライタ及び入退室管理装置のいずれが有することとしても構わない。
【００９３】
また、本実施形態では、管理対象装置であるコピー機５０が図５に示すような各部を有しており、暗号化情報の復号や利用状態の制御を行うこととしているが、本発明はこれに限定されるものではなく、ネットワーク６０を介して、入退室管理装置及びコピー機５０がサーバと接続されており、当該サーバが図５に示すような各部を有することとしてもよい。即ち、サーバが、暗号化情報の復号や利用状態の制御を行うこととしてもよい。このように、サーバを管理システムの構成要素とすることで、自身ではロック制御を行うことができない種々の電子機器及び設備を管理対象装置として適用することが可能となる。
【００９４】
[第１変形例]
なお、上記の実施形態では、非接触ＩＣカード３は識別情報を記憶しており、コピー機５０はデータベース７０に記憶された利用権限テーブルを参照して、利用権限の有無を判定することとしている。しかし、本発明はこれに限定されるものではなく、各利用者に応じて、予め識別情報に加え、利用権限を有することを示す利用権限情報が、非接触ＩＣカード３に記憶されていることとしてもよい。
【００９５】
この場合、上記入室処理において、入退室管理装置は、利用者が入室権限を有すると判定した場合に、非接触ＩＣカード３から読み取った社員ＩＤ及び利用権限情報を含む情報を共通鍵により暗号化することで暗号化情報を作成する。また、利用権限処理において、コピー機５０は、復号情報に利用権限情報が含まれているか否かを判定することにより、利用者が利用権限を有しているか否かを判定する。よって、データベース７０は、利用権限テーブルを予め記憶しておく必要がなくなる。
【００９６】
また、記憶部１４が識別情報と、入室権限の有無と、利用権限の有無とを対応付けた権限テーブルを予め記憶しており、入退室管理装置が、識別情報に基づいて権限テーブルを参照することにより、利用者の入場権限及び利用権限の有無を判定することとしてもよい。
【００９７】
この場合、上記入室処理において、入室管理装置は、利用者が入室権限及び利用権限の双方を有すると判定した場合に、非接触ＩＣカード３に、当該利用者がコピー機５０を利用可能なことを示す利用権限情報を付与する。具体的に、入室管理装置は、非接触ＩＣカード３から読み取った社員ＩＤ及び利用権限情報を含む情報を共通鍵により暗号化することで暗号化情報を作成し、当該非接触ＩＣカード３に上書きする。
【００９８】
[第２変形例]
なお、上記の実施形態では、入退室管理装置の鍵作成部１２が、予め決められた任意のタイミングで新しい共通鍵を作成することとしているが、本発明はこれに限定されるものではなく、入室権限を有する利用者が部屋４に入室する度に新しい共通鍵を作成することとしてもよい。即ち、共通鍵の作成を入室単位で行うこととしてもよい。
【００９９】
この場合、入退室管理装置は、入室権限を有する利用者が部屋４に入室する度に、人単位で共通鍵を作成する。さらに、入退室管理装置は、利用者の識別情報と、当該利用者が入室した際に作成した共通鍵とを対応付けて鍵情報とし、通信部１９を介して管理対象端末へ送信する。一方、管理対象装置は、入退室管理装置から受信した鍵情報をデータベース７０に記憶し、管理する。
【０１００】
ここで、図１０を参照し、データベース７０に記憶された鍵情報について説明する。図示のように、第２変形例における鍵情報は、社員ＩＤ及び共通鍵項目から構成されている。社員ＩＤとは、部屋４内に入室した利用者を識別する情報である。共通鍵とは、社員ＩＤに対応する利用者が部屋４内に入室した際に作成された共通鍵である。利用者の社員ＩＤに基づいて、このような鍵情報を参照することで、容易に当該利用者に対応する共通鍵を抽出することができる。よって、管理対象装置は、鍵情報に基づいて、各利用者に対応する共通鍵を抽出し、暗号化情報を復号することができる。
【０１０１】
管理対象装置は、共通鍵により復号することで作成した復号情報に基づいて、利用権限の有無を判断し、コピー機５０の利用を制御する。
【０１０２】
次に、第２変形例の管理システムによる入室処理について図１１を参照して説明する。図１１は、第２変形例における入室処理のフローチャートである。
【０１０３】
なお、非接触ＩＣカード３には、各利用者に応じて、識別情報、部屋４への入室を許可する入室権限情報及びコピー機５０の利用を許可する利用権限情報が記憶されているものとする。
【０１０４】
まず、入室が管理された施設である部屋４に入室する際、利用者は、部屋４の入口から入室するために、情報記憶媒体である非接触ＩＣカード３を入退室管理装置に近づける。この際、入退室管理装置は、非接触ＩＣカード３の記憶部９０に記憶されている情報を読み取り、社員ＩＤを特定する（ステップＳ２１）。入退室管理装置の権限判定部１２は、非接触ＩＣカード３から読み取った情報に入室権限情報が含まれているか否かを判定することにより、当該非接触ＩＣカード３を所持する利用者が入室権限を有しているか否かを判定する（ステップＳ２２）。利用者が入室権限を有していない場合（ステップＳ２２；Ｎｏ）、自動ドア７を開くことなく、入室処理は終了する。
【０１０５】
一方、入室権限を有している場合（ステップＳ２２；Ｙｅｓ）、鍵作成部１２は、共通鍵を作成する（ステップＳ２３）。さらに、鍵作成部１２は、特定した社員ＩＤと、作成した共通鍵とを対応付け、鍵情報として通信部１９を介し、コピー機５０へ送信する（ステップＳ２４）。そして、暗号化部１５は、非接触ＩＣカード３から読み取った情報であって、社員ＩＤを除く情報を、共通鍵により暗号化することで暗号化情報を作成する（ステップＳ２５）。具体的に、非接触ＩＣカード３から読み取った情報であって、社員ＩＤを除く情報とは、入室権限や利用権限である。換言すると、暗号化部１５は、社員ＩＤは暗号化しない。
【０１０６】
情報書込部１６は、非接触ＩＣカード３から読み取った社員ＩＤを除く情報に、暗号化部１５が作成した暗号化情報を上書きする（ステップＳ２６）。そして、ドア開閉部１３は、自動ドア７を開き、入室権限を有する利用者が部屋４へ入室可能な状態とする。これにより、入室処理は完了する。
【０１０７】
次に、上述の管理システムによる利用処理について図１２を参照して説明する。図１２は、第２変形例における利用処理のフローチャートである。
【０１０８】
なお、コピー機５０の鍵情報受信部２４は、予め入退室管理装置から鍵情報を受信し、図１０に示すように、データベース７０に記憶しているものとする。
【０１０９】
入口から入室した利用者は、コピー機５０に備えられているＩＣカードリーダライタ９に非接触ＩＣカード３を近づけ、ＩＣカードリーダライタ９は非接触ＩＣカード３の記憶部９０から、社員ＩＤ及び暗号化情報を読み取る（ステップＳ３１）。さらに、コピー機５０の復号部２５は、非接触ＩＣカード３から読み取った社員ＩＤに基づいて、データベース７０に記憶された鍵情報を参照することにより、当該社員ＩＤに対応する共通鍵を抽出する（ステップＳ３２）。そして、復号部２５は、非接触ＩＣカード３から読み取った暗号化情報を、抽出した共通鍵により復号することにより復号情報を作成する（ステップＳ３３）。復号できない等問題がある場合（ステップＳ３４；Ｎｏ）、コピー機５０は利用不可能な状態に制御されたまま（ステップＳ３８）、利用処理は終了する。即ち、利用者はコピー機５０を利用することができない。
【０１１０】
一方、復号に問題がない場合（ステップＳ３４；Ｙｅｓ）、復号部２５は、作成した復号情報に利用権限情報が含まれているか否かを判定することで、非接触ＩＣカード３を所持する利用者が利用権限を有するか否かを判定する（ステップＳ３５）。利用権限がないと判定された場合（ステップＳ３５；Ｎｏ）、コピー機５０は利用不可能な状態に制御されたまま（ステップＳ３８）、利用処理は終了する。即ち、利用者はコピー機５０を利用することができない。
【０１１１】
一方、利用権限があると判定された場合（ステップＳ３５；Ｙｅｓ）、ロック制御部２７により、コピー機５０は利用可能な状態に制御される（ステップＳ３６）。即ち、利用者はコピー機５０を利用することができる。その後、ロック制御部２７は、ＩＣカードリーダライタ９から非接触ＩＣカード３が取り外されたか否かを判定する（ステップＳ３７）。取り外されたと判定した場合（ステップＳ１７；Ｙｅｓ）、利用権限を有する利用者によるコピー機５０の利用が終了したと判断し、ロック制御部２７は、コピー機５０を再び利用不可能な状態に制御する（ステップＳ３８）。これにより、利用処理は完了する。
【０１１２】
利用者は、非接触ＩＣカード３を入退室管理装置にかざすことで、部屋４から退室する。このとき、入退室管理装置は、非接触ＩＣカード３に記憶された暗号化情報を、当該暗号化情報を共通鍵で復号した復号情報に上書きする。上書きした後、自動ドア７を開けることにより、利用者は部屋４から退室することができる。
【０１１３】
なお、入退室管理装置は、利用者が部屋４から退室する際に、通信部１９を介して、利用者が退室したことを示す退室情報をコピー機５０へ送信することとしてもよい。コピー機５０は、退室情報を受信すると、当該退室情報に基づいて、退室した利用者の識別情報及び共通鍵の情報をデータベース７０の鍵情報から削除する。これによれば、退室した利用者の識別情報及び共通鍵の情報がデータベース７０に残るという問題を解消することができる。
【０１１４】
このように、第２変形例によれば、時間単位ではなく、部屋４に入室する人単位で共通鍵を作成する。そのため、非接触ＩＣカード３をスキミング等により不正コピーしたとしても、共通鍵が異なるため正常な復号を行うことができず、管理対象装置を利用することができない。よって、第三者による管理対象装置の不正利用を防止することができる。
【産業上の利用可能性】
【０１１５】
本発明は、情報記憶媒体を使用して、入室が管理された施設内に設置された管理対象装置の不正利用を防止することができる管理システムとして利用することができる。
【図面の簡単な説明】
【０１１６】
【図１】管理システムの概要を説明する図である。
【図２】非接触ＩＣカードの平面図である。
【図３】図２のＡ−Ａ線による断面図である。
【図４】非接触ＩＣカードに内蔵されているＩＣタグの平面図である。
【図５】管理システムの機能ブロック図である。
【図６】入室権限テーブルのデータ構造を模式的に示す図である。
【図７】利用権限テーブルのデータ構造を模式的に示す図である。
【図８】管理システムによる入室処理を示すフローチャートである。
【図９】管理システムによる利用処理を示すフローチャートである。
【図１０】第２変形例における鍵情報のデータ構造を模式的に示す図である。
【図１１】第２変形例の管理システムによる入室処理を示すフローチャートである。
【図１２】第２変形例の管理システムによる利用処理を示すフローチャートである。
【符号の説明】
【０１１７】
１…利用者
３…非接触ＩＣタグ
４…部屋
６…入室管理装置
９…ＩＣカードリーダライタ
１０…退室管理装置
５０…コピー機
６０…ネットワーク
７０…データベース
【図１】
2008033437.tif 000003
【図２】
2008033437.tif 000004
【図３】
2008033437.tif 000005
【図４】
2008033437.tif 000006
【図５】
2008033437.tif 000007
【図６】
2008033437.tif 000008
【図７】
2008033437.tif 000009
【図８】
2008033437.tif 000010
【図９】
2008033437.tif 000011
【図１０】
2008033437.tif 000012
【図１１】
2008033437.tif 000013
【図１２】
2008033437.tif 000014